(57)【要約】【課題】  本発明は縦寸法と横寸法が統一された長方形状、正方形状、弧状、台形状、直角三角形状、Ｖブロック形状、みぞ形材形状の装飾パーツを少なくとも２種類以上組み合わせて、各種のデザイン形状に形成した装飾模様を用いた装飾体を得るにある。【解決手段】  装飾体本体に固定される縦寸法と横寸法が統一された長方形状、正方形状、弧状、台形状、直角三角形状、Ｖブロック形状、みぞ形材形状の装飾パーツを少なくとも２種類以上組み合わせ、各種のデザイン形状に形成した装飾模様とで装飾体を構成している。【選択図】  図１
2011024865.tif 000002
【特許請求の範囲】
【請求項１】
装飾体本体に固定される縦寸法と横寸法が統一された長方形状、正方形状、弧状、台形状、直角三角形状、Ｖブロック形状、みぞ形材形状の装飾パーツを少なくとも２種類以上組み合わせ、各種のデザイン形状に形成した装飾模様とからなることを特徴とする装飾体。
【請求項２】
装飾パーツは貴金属材あるいは表面に模様が形成された装飾材で形成されていることを特徴とする請求項１記載の装飾体。
【発明の詳細な説明】
【技術分野】
【０００１】
本発明は身体、その他の製品を装飾するために、例えばネックレス、ブレスレット、イヤリング、ピンバッジ、ベルト、バック、財布、衣類、家具、雑貨、時計、筆記具、ビン、楽器、食器等に装飾パーツを組み合わせ、各種のデザイン形状にできる装飾体に関するものである。
【背景技術】
【０００２】
従来、ネックレス、ブレスレット、イヤリング、ピンバッジ、安全ピン等の装身具本体による複数のベースパーツの少なくともいずれか１つに、宝石を具備した貴金属性の装飾体による複数のジャケットパーツの少なくとも１つを好みに応じて着脱可能にしたジョイントパーツを備えたことを特徴とする装身具が考えられている。
【０００３】
しかしながら、宝石を具備した貴金属製の装飾体による複数個のジョイントパーツの少なくとも１つを好みに応じて着脱可能にしているため、使用者が複数個のジャケットパーツを保有していなければ交換して使用できないという欠点があった。
また、ジョイントパーツは宝石を具備しているため、着脱可能にしてもデザインはある程度限られるという欠点があった。
【先行技術文献】
【特許文献】
【０００４】
【特許文献１】特開２００６−１０１９５８
【特許文献２】特開２００６−２６２９４０
【発明の概要】
【発明が解決しようとする課題】
【０００５】
本発明は以上のような従来の欠点に鑑み、縦寸法と横寸法が統一された長方形状、正方形状、弧状、台形状、直角三角形状、Ｖブロック形状、みぞ形材形状の装飾パーツを少なくとも２種類以上組み合わせて、各種のデザイン形状に形成した装飾模様を用いた装飾体を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は装飾体本体に固定される縦寸法と横寸法が統一された長方形状、正方形状、弧状、台形状、直角三角形状、Ｖブロック形状、みぞ形材形状の装飾パーツを少なくとも２種類以上組み合わせ、各種のデザイン形状に形成した装飾模様とで装飾体を構成している。
【発明の効果】
【０００９】
以上の説明から明らかなように、本発明にあっては次に列挙する効果が得られる。
（１）装飾体本体に固定される縦寸法と横寸法が統一された長方形状、正方形状、弧状、台形状、直角三角形状、Ｖブロック形状、みぞ形材形状の装飾パーツを少なくとも２種類以上組み合わせ、各種のデザイン形状に形成した装飾模様とで構成されているので、縦寸法と横寸法が統一された各種形状の装飾パーツを少なくとも２種類以上組み合わせた装飾模様により、装飾種類の異なるデザイン形状にすることができる。
【００１０】
したがって、種々のデザインを施した装飾体にすることができる。
（２）前記（１）によって、縦寸法と横寸法が統一された各種形状の装飾パーツを用いて装飾模様にすることができるため、方向性のあるデザインにできる。
（３）前記（１）により、装飾模様は装飾パーツの配置だけでよく、簡単に種々のデザインを施すことができる。
（４）請求項２も前記（１）〜（３）と同様な効果が得られるとともに、装飾パーツの模様によって、さらなるデザインの広がりを持たせることができる。
【図面の簡単な説明】
【００１１】
【図１】本発明を実施するための第１の形態の使用状態の説明図。
【図２】図１の２−２線に沿う断面図。
【図３】本発明を実施するための第１の形態の装飾パーツの説明図。
【図４】本発明を実施するための第１の形態の装飾模様の説明図。
【図５】本発明を実施するための第２の形態の使用状態の説明図。
【図６】本発明を実施するための第２の形態の装飾パーツの説明図。
【図７】本発明を実施するための第２の形態の装飾模様の説明図。
【図８】本発明を実施するための第３の形態の使用状態の説明図。
【図９】本発明を実施するための第３の形態の装飾パーツの説明図。
【図１０】本発明を実施するための第３の形態の装飾模様の説明図。
【図１１】本発明を実施するための第４の形態の使用状態の説明図。
【図１２】本発明を実施するための第４の形態の装飾パーツの説明図。
【図１３】本発明を実施するための第４の形態の装飾模様の説明図。
【発明を実施するための形態】
【００１２】
以下、図面に示す本発明を実施するための形態により、本発明を詳細に説明する。
【００１３】
図１ないし図４に示す本発明を実施するための第１の形態において、１はブレスレットとして使用される本発明の装飾体で、この装飾体１は一部に切り欠き２が形成されたリング状の貴金属材、金属材、プラスチック、陶器等で形成された装飾体本体３と、この装飾体本体３の表面にビスまたは溶着あるいは接着剤で接着固定された複数個の装飾パーツ４、４ａ、４ｂ、４ｃ、４ｄ、４ｅ、４ｆ、４ｇ等を少なくとも２種類以上組み合わせて形成した装飾模様５とで構成されている。
【００１４】
前記装飾パーツ４、４ａ、４ｂ、４ｃ、４ｄ、４ｅ、４ｆ、４ｇは縦寸法と横寸法が、例えば１６ｍｍと８ｍｍに統一された長方形状、正方形状、弧状、台形状、直角三角形状、Ｖブロック形状、みぞ形材形状に形成された貴金属材を用いて構成されている。
【００１５】
このような装飾パーツ４、４ａ、４ｂ、４ｃ、４ｄ、４ｅ、４ｆ、４ｇを用いて２種類以上組み合わせことにより、図４に示すような装飾模様５、５ａ、５ｂ、５ｃ、５ｄ、５ｅ、５ｆ、５ｇ等に形成することができる。
【００１６】
[発明を実施するための異なる形態]
次に、図５ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図５ないし図７に示す本発明を実施するための第２の形態において、前記本発明を実施するための第１の形態と主に異なる点は、彫金で模様６を形成した装飾パーツ７、７ａ、７ｂ、７ｃ、７ｄ、７ｅ、７ｆ、７ｇを用いた点で、このような装飾パーツ７、７ａ、７ｂ、７ｃ、７ｄ、７ｅ、７ｆ、７ｇを少なくとも２個以上用いて構成した装飾体１Ａにしても、前記本発明を実施するための第１の形態と同様な作用効果が得られるとともに、装飾パーツ７、７ａ、７ｂ、７ｃ、７ｄ、７ｅ、７ｆ、７ｇの模様６によって、より装飾模様８、８ａ、８ｂ、８ｃ、８ｄ、８ｅ、８ｆ、８ｇをきれいにすることができる。
【００１８】
なお、模様６のある装飾パーツ７、７ａ、７ｂ、７ｃ、７ｄ、７ｅ、７ｆ、７ｇと模様のない装飾パーツ４、４ａ、４ｂ、４ｃ、４ｄ、４ｅ、４ｆ、４ｇとを組み合わせて装飾模様を形成してもよい。
【００１９】
図８ないし図１０に示す本発明を実施するための第３の形態において、前記本発明を実施するための第１の形態と主に異なる点は、複数種の厚さ寸法が異なる装飾パーツ４、９、１０、４ａ、９ａ、１０ａ、４ｂ、９ｂ、１０ｂ、４ｃ、９ｃ、１０ｃ、４ｄ、９ｄ、１０ｄ、４ｅ、９ｅ、１０ｅ、４ｆ、９ｆ、１０ｆ、４ｇ、９ｇ、１０ｇを用いた点で、このような装飾パーツ４、９、１０、４ａ、９ａ、１０ａ、４ｂ、９ｂ、１０ｂ、４ｃ、９ｃ、１０ｃ、４ｄ、９ｄ、１０ｄ、４ｅ、９ｅ、１０ｅ、４ｆ、９ｆ、１０ｆ、４ｇ、９ｇ、１０ｇを少なくとも２個以上用いて構成した装飾体１Ｂにしても、前記本発明を実施するための第１の形態と同様な作用効果が得られる。
【００２０】
図１１ないし図１３に示す本発明を実施するための第４の形態において、前記本発明を実施するための第１の形態と主に異なる点は、板状部分１１を備えたネックレス本体としての装飾体本体３Ａを用い、該装飾体本体３Ａの板状部分１１に少なくとも２個以上の装飾パーツ４、４ｇ、４ｇを用いて装飾模様１２を形成した点で、このような装飾体本体３Ａを用いた装飾体１Ｃにしても、前記本発明を実施するための第１の形態と同様な作用効果が得られる。
【００２１】
なお、前記本発明を実施するための各形態ではブレスレットやネックレスとして使用することができる装飾体本体３、３Ａを用いるものについて説明したが、本発明はこれに限らず、少なくとも２個以上の装飾パーツを固定することができる部位を備えたイヤリング、ピンバッジ、ベルトのベルト金具、バック、財布、衣類、家具、雑貨、時計、筆記具、ビン、楽器、食器等にも同様に使用することができる。
【産業上の利用可能性】
【００２２】
本発明はネックレス、ブレスレット、イヤリング、ピンバッジ、バルト、バック、カバン、ハンドバック、財布、衣類等の装飾体を製造する産業、および時計、オルゴール、筆記具、ビン、ガラス機器、食器、楽器、刀剣、兜等の装飾体を製造する産業で利用される。
【符号の説明】
【００２３】
１、１Ａ、１Ｂ、１Ｃ：装飾体、
２：切り欠き、                      ３、３Ａ：装飾体本体、
４、４ａ〜４ｇ：装飾パーツ、  ５、５ａ〜５ｇ：装飾模様、  
６：模様、                    ７、７ａ〜７ｇ：装飾パーツ、
８、８ａ〜８ｇ：装飾模様、    ９、９ａ〜９ｇ：装飾パーツ、
１０、１０ａ〜１０ｇ：装飾パーツ、
１１：板状部分、                        １２：装飾模様。
【図１】
2011024865.tif 000003
【図２】
2011024865.tif 000004
【図３】
2011024865.tif 000005
【図４】
2011024865.tif 000006
【図５】
2011024865.tif 000007
【図６】
2011024865.tif 000008
【図７】
2011024865.tif 000009
【図８】
2011024865.tif 000010
【図９】
2011024865.tif 000011
【図１０】
2011024865.tif 000012
【図１１】
2011024865.tif 000013
【図１２】
2011024865.tif 000014
【図１３】
2011024865.tif 000015